(57)【要約】本発明は、低硫黄含有率を有する重質炭化水素フラクションを得ることを可能にする炭化水素供給原料の処理方法であって、以下の工程：ａ）配列可変反応器における水素化脱金属の工程、ｂ）固定床において工程ａ）からの流出物を水素化脱処理する工程、ｃ）配列可変反応器において工程ｂ）からの流出物を水素化分解する工程、ｄ）工程ｃ）からの流出物を分離する工程、ｅ）セジメントを沈殿させる工程、ｆ）工程ｄ）からの重質液体フラクションから前記セジメントを物理的に分離する工程、ｇ）工程ｅ）において用いられた蒸留液留分を回収する工程を含む、方法に関する。
2019518818.tif 000002
【特許請求の範囲】
【請求項１】
硫黄含有率が最低０．１重量％であり、初期沸騰温度が最低３４０℃であり、最終沸騰温度が最低４４０℃である少なくとも１種の炭化水素含有フラクションを含有する炭化水素含有供給原料を処理するための連続的方法であって、該方法は、以下の段階：
ａ）  水素化脱金属段階であって、少なくとも２基の配列可変の反応器が、３００℃〜５００℃の温度で、５ＭＰａ〜３５ＭＰａの絶対圧力下に、炭化水素含有供給原料および水素、および水素化脱金属触媒の存在下に利用され；「配列可変の反応器」とは、一式の少なくとも２基の反応器であって、そのうちの一つの反応器は、一般には触媒の再生または置換のためまたはメンテナンスのために停止させられ得る一方で、他の（１基または複数基）の反応器は操作中である、ものを意味する、段階
ｂ）  固定床水素化処理段階であって、少なくとも１基の反応器を含み、該反応器において、段階ａ）が存在する場合には段階ａ）を起源とする流出物、または段階ａ）が存在しない場合には直接的に炭化水素含有供給原料が、少なくとも１種の水素化処理触媒と、３００℃〜５００℃の温度で、５ＭＰａ〜３５ＭＰａの絶対圧力下に接触させられる、段階、
ｃ）  固定床水素化分解段階であって、少なくとも２基の配列可変の反応器が、３４０℃〜４８０℃の温度で、５ＭＰａ〜３５ＭＰａの絶対圧力下に、段階ｂ）を起源とする流出物、および水素化分解触媒の存在下に実施される、段階、
ｄ）  段階ｃ）を起源とする流出物を分離して、少なくとも１種のガスフラクションと、少なくとも１種の重質液体フラクションとを得る段階、
ｅ）  段階ｄ）を起源とする重質液体フラクション中に含有されるセジメントの沈殿の段階であって、不安定化（ｅ１）、酸化（ｅ２）、または酸化・不安定化（ｅ３）と呼ばれる３つの考えられる変形例により行われ得て、この３つの変形例に共通する操作条件は、以下：
−  滞留時間：６０分未満、
−  温度：８０〜２５０℃、
−  圧力：１．５ＭＰａ未満
の通りである、段階、
ｆ）  沈殿の段階ｅ）を起源とする重質液体フラクションのセジメントを物理的に分離して、セジメントを含有するフラクションと、低減したセジメント含有率を有する液体炭化水素含有フラクションとを得る段階、
ｇ）  液体炭化水素含有フラクションであって、経時後セジメント含有率が０．１重量％以下であるものを回収する段階であって、液体炭化水素含有フラクションであって、段階ｆ）を起源とする低減したセジメント含有率を有するものを、段階ｅ）の間に導入された蒸留液留分から分離することからなり、該蒸留液留分は、前記段階ｅ）に再循環させられる、段階
を含む、方法。
【請求項２】
水素化脱金属段階ａ）は、以下の操作条件：
−  温度：好ましくは３５０℃〜４３０℃、
−  絶対圧力：好ましくは１１ＭＰａ〜２６ＭＰａ、一層より好ましくは１４ＭＰａ〜２０ＭＰａ、
−  ＨＳＶ（供給原料の容積流量を、触媒の全容積で除算したものであるとして定義される）：０．１ｈ−１〜５ｈ−１、優先的には０．１５ｈ−１〜３ｈ−１、より優先的には０．２ｈ−１〜２ｈ−１
の下に行われる、請求項１に記載の炭化水素含有供給原料の処理のための方法。
【請求項３】
水素化脱金属段階ａ）には、水素化脱金属触媒が用いられ、該水素化脱金属触媒は、０．５〜１０重量％のニッケル、好ましくは１〜５重量％のニッケル（酸化ニッケルＮｉＯとして表される）と、１〜３０重量％のモリブデン、好ましくは３〜２０重量％のモリブデン（酸化モリブデンＭｏＯ３として表される）とを鉱物担体上に含む、請求項１に記載の炭化水素含有供給原料の処理のための方法。
【請求項４】
水素化処理段階ｂ）は、３５０℃〜４３０℃の温度で、１４ＭＰａ〜２０ＭＰａの絶対圧力下に行われる、請求項１に記載の炭化水素含有供給原料の処理のための方法。
【請求項５】
水素化処理段階ｂ）には、０．５〜１０重量％のニッケル、好ましくは１〜５重量％のニッケル（酸化ニッケルＮｉＯとして表される）と、１〜３０重量％のモリブデン、好ましくは５〜２０重量％のモリブデン（酸化モリブデンＭｏＯ３として表される）とを、アルミナ、シリカ、シリカ−アルミナ、酸化マグネシウム、粘土およびこれらの鉱物の少なくとも２種の混合物によって構成される群から選択される鉱物担体上に含む触媒が用いられる、請求項１に記載の炭化水素含有供給原料の処理のための方法。
【請求項６】
水素化分解段階ｃ）は、３５０℃〜４３０℃の温度で、１４ＭＰａ〜２０ＭＰａの絶対圧力下に行われる、請求項１に記載の炭化水素含有供給原料の処理のための方法。
【請求項７】
水素化分解段階ｃ）には、０．５〜１０重量％のニッケル、好ましくは１〜５重量％のニッケル（酸化ニッケルＮｉＯとして表される）と、１〜３０重量％のモリブデン、好ましくは５〜２０重量％のモリブデン（酸化モリブデンＭｏＯ３として表される）とを、アルミナ、シリカ、シリカ−アルミナ、酸化マグネシウム、粘土およびこれらの鉱物の少なくとも２種の混合物によって構成される群から選択される鉱物担体上に含む触媒が用いられる、請求項１に記載の炭化水素含有供給原料の処理のための方法。
【請求項８】
分離段階ｄ）は、少なくとも１つの常圧蒸留液フラクションと、少なくとも１つの常圧残渣フラクションとを得ることを可能にする少なくとも１回の常圧蒸留を含む、請求項１に記載の炭化水素含有供給原料の処理のための方法。
【請求項９】
分離段階ｄ）は、少なくとも１つの真空蒸留液フラクションと、少なくとも１つの真空残渣フラクションとを得ることを可能にする少なくとも１回の真空蒸留を含む、請求項１に記載の炭化水素含有供給原料の処理のための方法。
【請求項１０】
セジメントの沈殿の段階ｅ）は、不安定化によって、すなわち、分離段階ｄ）を起源とする重質液体フラクションを、３〜４０個の炭素原子を含む蒸留液留分、より正確には、その最低２０重量％が、１５０℃以上の沸騰温度を有する蒸留液留分と接触させることによって行われる、請求項１に記載の炭化水素含有供給原料の処理のための方法。
【請求項１１】
段階ｄ）を起源とする重質液体フラクションと接触させるために用いられる蒸留液留分は、単独または混合物で用いられる以下の留分：プロパン、ブタン、ペンタン、ヘキサン、ヘプタン、ナフサまたはケロセンのタイプの留分、常圧ガスオイルまたは真空ガスオイルから選択される、請求項１に記載の炭化水素含有供給原料の処理のための方法。
【請求項１２】
セジメントの沈殿の段階ｅ）は、「酸化による」として知られる変形例により、すなわち、分離段階ｄ）を起源とする重質液体フラクションを、ガス、液体または固体の酸化性化合物、例えば、過酸化物、例えば含酸素水、あるいは、鉱物酸化性溶液、例えば、過マンガン酸カリウムの溶液または鉱物酸、例えば、硫酸と接触させることにより行われる、請求項１に記載の炭化水素含有供給原料の処理のための方法。
【請求項１３】
セジメントの沈殿の段階ｅ）は、酸化・不安定化として知られる変形例により、すなわち、分離段階ｄ）を起源とする重質液体フラクションを、不安定化による沈殿の変形例において規定されたような蒸留液留分および酸化による沈殿の変形例において規定されたような気体、液体または固体の酸化性化合物と接触させることにより行われる、請求項１に記載の炭化水素含有供給原料の処理のための方法。
【請求項１４】
セジメントの物理的分離の段階ｆ）には、フィルタ、分離膜、有機または無機のタイプの固体のろ過床、電気集塵、静電フィルタ、遠心分離システム、遠心力デカンタ、ウォームねじによる抜き出しから選択される物理的分離手段が用いられる、請求項１に記載の炭化水素含有供給原料の処理のための方法。
【請求項１５】
液体炭化水素含有フラクションであって、経時後セジメント含有率が０．１重量％以下であるものの回収の段階ｇ）は、低減したセジメント含有率を有する、段階ｆ）を起源とする液体炭化水素含有フラクションを、段階ｅ）の間に導入された蒸留液留分から分離することからなり、該蒸留液留分は、段階ｅ）に再循環させられる、請求項１に記載の炭化水素含有供給原料の処理のための方法。
【発明の詳細な説明】
【技術分野】
【０００１】
（発明の背景）
本発明は、重質の炭化水素フラクション、とりわけ、硫黄含有不純物を含有するものの精製および転化に関する。本発明は、より詳細には、常圧残渣および／または真空残渣のタイプの重質の石油供給原料を転化させて、燃料油ベース、特にバンカー油ベースとして用いられ得、低いセジメント含有率を有する重質フラクションを製造する方法に関する。本発明による方法により、常圧蒸留液（ナフサ、ケロセンおよびディーゼル）、真空蒸留液および軽質ガス（Ｃ１〜Ｃ４）を製造することも可能となる。
【背景技術】
【０００２】
船用燃料の品質要求は、規格ISO 8217に記載されている。今後、硫黄に関する仕様は、ＳＯｘの放出に関連することとなり（国際海事機関（International Maritime Organisation）からのＭＡＲＰＯＬ協定の添付書類ＶＩ）、２０２０−２０２５の時間枠について硫黄排出規制海域（Sulphur Emission Control Areas：ＳＥＣＡ)または排出規制海域（Emission Control Areas：ＥＣＡ)外で０．５重量％以下、ＳＥＣＡ内で０．１重量％以下の硫黄含有率についての勧告として説明される。別の非常に制限的な勧告は、ISO 10307-2（IP390としても知られている）に従う経時後（after aging）のセジメント含有率であり、これは、０．１％以下でなければならない。
【０００３】
ISO 10307-1（IP375としても知られている）に従うセジメント含有率は、ISO 10307-2（IP390としても知られている）に従う経時後セジメント含有率とは異なっている。ISO 10307-2に従う経時後セジメント含有率は、はるかにより制限的な仕様であり、バンカー油に適用する仕様に対応する。
【０００４】
ＭＡＲＰＯＬ協定の添付書類ＶＩによると、船が、硫黄酸化物の放出を低減させることを可能にする煙霧処理システムを装備しているならば、その船は硫黄含有燃料油を使用することができることになる。
【０００５】
海上運送において用いられる燃料油は、一般的に、常圧蒸留液、真空蒸留液、常圧残渣および真空残渣を含み、これらは、直接蒸留を起源とするかまたは精製方法、特に、水素化処理および転化の方法を起源とするものであり、これらの留分は、単独または混合物で用いられ得る。これらの方法は、不純物を多量に帯びた重質供給原料に適切であるとして知られているが、それらは、それにもかかわらず、バンカー油等の製品品質を満たすために除去されなければならない触媒微粒子および／またはセジメントを含み得る炭化水素含有フラクションを生じさせる。
【０００６】
セジメントは、沈殿したアスファルテンであり得る。供給原料において、最初に、転化条件、特に、温度は、アスファルテンが、その沈殿に至る結果となる反応（脱アルキル、重縮合等）を経る原因となる。方法の終わりにおける重質留分中の既存のセジメント（IP375としても知られているISO 10307-1により測定される）に加えて、転化条件に応じて、潜在的セジメントとして分類されるセジメントも存在し、これは、物理的、化学的および／または熱的な処理の後にのみ出現する。潜在的セジメントを含むセジメントの全ては、IP390としても知られているISO 10307-1により測定される。これらの現象は、一般的に、過酷な条件が実施された時に伴われ、結果として、供給原料の性質に応じて、高い転化レベル、例えば、４０または５０％を超える、またはさらに上の転化レベルをもたらす。
【０００７】
転化率は、反応セクションの入口における供給原料中の５２０℃超の沸点を有する有機化合物の質量割合−反応セクションの出口における流出物中の５２０℃超の沸点を有する有機化合物の質量割合の全体を、反応セクションの入口における５２０℃超の沸点を有する供給原料中の有機化合物の質量割合で除算したものであるとして定義される。残渣を処理するための方法において、転化生成物、特に、蒸留液は、一般的には、供給原料または未転化フラクションよりも品質向上させるのにより適しているという事実に起因して、転化を最大にすることに経済的な利点がある。
【０００８】
固定床水素化処理方法において、温度は、一般的には、沸騰床またはスラリー床の水素化分解方法におけるよりも低い。固定床における転化率は、それ故に、沸騰床またはスラリー床におけるよりも一般的により低いが、実施は、より簡単である。それ故に、固定床水素化処理方法の転化率は、中程度であるかまたは低くさえあり、サイクルの終わりにおいて一般的には４５％未満、多くの場合３５％未満であり、サイクルの始めにおいて２５％未満である。転化率は、一般的には、触媒の失活を補うための温度上昇に起因してサイクルの間で変動する。
【０００９】
実際に、セジメントの生成は、一般的には、固定床水素化処理方法において、沸騰床またはスラリー床の水素化分解の方法におけるよりも低い。しかしながら、固定床の残渣の水素化処理方法についてのサイクルの中盤からサイクルの終わりまでに達する温度により、結果として、燃料油、特に、水素化処理残渣のための固定床方法を起源とする重質フラクションによって大部分構成されるバンカー油の品質を劣化させるのに十分なセジメントの形成がもたらされる。当業者は、固定床とスラリー床との間の相違に精通している。スラリー床は、触媒が小さい粒子の形態で十分に分散しており、この粒子が液相中に懸濁している床である。
【発明の概要】
【課題を解決するための手段】
【００１０】
（発明の簡単な説明）
上記の背景において、本出願人は、残渣の水素化処理のための従来の方法に対して向上した転化を可能にする、配列可変の反応器において水素化分解する段階を組み入れる新しい方法を開発した。
【００１１】
「配列可変の反応器（permutable reactors）」とは、一式の少なくとも２基の反応器であって、そのうちの一方の反応器が、一般的には触媒の再生または置換のためまたはメンテナンスために停止させられ得る一方で、他方（１基または複数基）は操作中である、反応器を意味する。
【００１２】
驚くべきことに、低い硫黄含有率を有する炭化水素含有フラクションの分画の後に、このような方法は、増大した量の蒸留液を得ることを可能にし、少なくとも１種の液体炭化水素含有フラクションが、有利には、全体的または部分的に、燃料油または燃料油ベースとして用いられ得ることが見出された。新しい方法は、配列可変の反応器において水素化分解段階の下流にセジメントの沈殿および分離の段階を組み入れることも可能にし、これにより、分画の後に、ＩＭＯの将来の勧告に対応する低い硫黄含有率を有する少なくとも１種の重質フラクションが得られるが、特に、低いセジメント含有率、すなわち、０．１重量％以下の経時後セジメント含有率を有する。
【００１３】
配列可変の反応器において、水素化分解段階の下流にセジメントの沈殿および分離の段階を組み入れる新しい方法の別の利点は、全体のサイクルにわたって固定床水素化処理セクションの反応器の温度より高い平均温度でこれらの配列可変の水素化分解反応器を操作することが可能になり、それ故に、結果として、より高い温度によって一般的には増加し、生成物の品質についての問題を提供するセジメントの形成なしでより高い転化がもたらされることにある。同様に、コーキングは、水素化分解セクションにおいて問題にならない。配列可変の反応器により、ユニットの停止なしで触媒を置き換えることが可能になるからである。
【００１４】
沿岸適用、例えば、電気の生産またはユーティリティの生産のための熱発電所のために、燃料油の硫黄含有率についての要求があるが、安定性およびセジメント含有率についての要求の厳重性は、エンジンにおける燃焼を目的とするバンカー油についてよりも少ない。
【００１５】
所定の適用のために、本発明による方法は、それ故に、高価値転化蒸留液、および燃料油または燃料油ベースとして用いられ得る低い硫黄含有率を有する重質炭化水素含有フラクションを得るために段階ｅ）、ｆ）およびｇ）の非存在下に実施され得る。
【００１６】
より正確には、本発明は、最低０．１重量％の硫黄含有率、最低３４０℃の初期沸騰温度および最低４４０℃の最終沸騰温度を有する少なくとも１種の炭化水素含有フラクションを含有する炭化水素含有供給原料を処理する方法であって、転化生成物と、低い硫黄含有率を有する重質炭化水素含有フラクションとを得ることを可能にする、方法に関する。この重質の炭化水素含有フラクションは、その経時後セジメント含有率が０．１重量％以下であるように生じさせられ得る。前記方法は、少なくとも以下の段階：
ａ）  配列可変の反応器における水素化脱金属段階であって、該反応器において、炭化水素含有供給原料および水素を水素化脱金属触媒上で接触させる、段階、
ｂ）  段階ａ）を起源とする流出物の固定床水素化処理の段階、
ｃ）  配列可変の反応器において段階ｂ）を起源とする流出物を水素化分解する段階、
ｄ）  段階ｃ）を起源とする流出物の分離の段階であって、少なくとも１種のガスフラクションと重質液体フラクションとを得る、段階、
ｅ）  セジメントの沈殿の段階であって、分離段階ｄ）を起源とする重質液体フラクションを、最低２０重量％が１００℃以上の沸騰温度を有する蒸留液留分と、５００分未満の継続期間にわたって、２５〜３５０℃の温度、２０ＭＰａ未満の圧力で接触させる、段階、
ｆ）  段階ｄ）を起源とする重質液体フラクション中に含有されるセジメントの物理的分離の段階、
ｇ）  経時後セジメント含有率が０．１重量％未満である液体炭化水素含有フラクションの回収の段階であって、沈殿段階ｅ）の間に導入された蒸留物留分から段階ｆ）を起源とする液体炭化水素含有フラクションを分離することからなる、段階
を含む。
【００１７】
本発明の目的の一つは、低い硫黄含有率を有する燃料油および燃料油ベースの製造のために重質石油供給原料の転化および脱硫を結び付ける方法を提案することにある。
【００１８】
本方法の別の目的は、低い経時後セジメント含有率：０．１重量％以下を有するバンカー油またはバンカー油ベースの製造にあり、これが可能になるのは、段階ｅ）、ｆ）およびｇ）が実施される場合である。
【００１９】
本発明の別の目的は、同じ方法によって、常圧蒸留液（ナフサ、ケロセンおよびディーゼル）、真空蒸留液および／または軽質ガス（Ｃ１〜Ｃ４）を一緒に製造することにある。ナフサ−およびディーゼル−タイプのベースは、自動車・航空機燃料、例えばアンチノック燃料、ジェット燃料およびガソリンの製造のための精製所において品質向上させられ得る。
【００２０】
（図１の説明）
図１には、本発明の実施を示すフローチャートが示されるが、本発明の範囲を限定するものではない。炭化水素含有供給原料（１）および水素（２）が、水素化脱金属段階ａ）において、配列可変の反応器中で接触させられ、この反応器中に、水素（２）は、段階ａ）の第１の触媒床の入口および２つの床の間に導入され得る。
【００２１】
配列可変の保護反応器における水素化脱金属段階ａ）を起源とする流出物（３）は、固定床水素化処理段階ｂ）に送られ、この段階において、追加の水素（４）が、段階ｂ）の第１の触媒床の入口および２つの床の間に導入され得る。
【００２２】
段階ａ）を欠く場合、炭化水素含有供給原料（１）および水素（２）は、水素化処理段階ｂ）に直接的に導入される。固定床水素化処理段階ｂ）を起源とする流出物（５）は、配列可変の保護反応器における水素化分解の段階ｃ）に送られ、この反応器中には、追加の水素（６）が、段階ｃ）の第１の触媒床の入口および２つの床の間に導入され得る。水素化分解段階ｃ）を起源とする流出物（７）は、分離段階ｄ）に送られ、この分離段階ｄ）により、少なくとも１種の軽質炭化水素含有フラクション（８）および最低３５０℃で沸騰する化合物を含有する重質フラクション（９）を得ることが可能となる。この重質フラクション（９）は、沈殿段階ｅ）の間に蒸留液留分（１０）と接触させられる。
【００２３】
流出物（１１）は、重質フラクションおよびセジメントによって構成され、このものは、物理的分離段階ｆ）において処理される。この物理的分離段階ｆ）により、セジメントを含むフラクション（１３）を除去することおよび低減したセジメント含有率を有する液体炭化水素含有フラクション（１２）を回収することが可能となる。液体炭化水素含有フラクション（１２）は、次いで、段階ｇ）において処理される。段階ｇ）において、一方では、経時後セジメント含有率が０．１重量％以下である液体炭化水素含有フラクション（１５）が、他方では、段階ｅ）の間に導入された蒸留液留分の少なくとも一部を含有するフラクション（１４）が回収される。
【００２４】
液体炭化水素含有フラクション（１４）は、全体的または部分的に、セジメントの沈殿の段階ｅ）に再循環させられ得る。
【００２５】
段階ｅ）、ｆ）、ｇ）は、一緒に、または、互いに別々にかのいずれかで実施される。これは、例えば、段階ｅ）のみまたは段階ｅ）および段階ｆ）を含むが、段階ｇ）を含まない方法が、本発明の範囲内に残ることを意味する。
【００２６】
（図２の説明）
図２には、本発明の一連の反応器の利用を示す単純化フローチャートが示されるが、本発明の範囲を限定するものではない。単純化の興味において、反応器のみが示されるが、操作に必要な全ての設備（ドラム、ポンプ、交換器、オーブン、塔等）が存在することが理解される。炭化水素を含有する主要な流れのみが示されるが、水素リッチなガスの流れ（補充または再循環）が、各触媒床の入口または２つの床の間に注入され得ることが理解される。
【００２７】
供給原料（１）は、配列可変の保護反応器における水素化脱金属段階に入る。この配列可変の保護反応器は、反応器（Ｒａ）および（Ｒｂ）によって構成される。配列可変の保護反応器における水素化脱金属段階からの流出物（２）は、固定床水素化処理段階に送られる。この固定床水素化処理段階は、反応器（Ｒ１）、（Ｒ２）および（Ｒ３）によって構成される。固定床水素化処理反応器は、例えば、水素化脱金属、移行および水素化脱硫の触媒をそれぞれ装填され得る。供給原料（１）は、固定床水素化処理セクションに直接的に入り得る。固定床水素化処理段階からの流出物（３）は、配列可変の反応器における水素化分解段階に送られる。この配列可変の反応器は、反応器（Ｒｃ）および（Ｒｄ）によって構成される。
【００２８】
この構成において、反応器は、一対で配列可変である。すなわち、（Ｒａ）は、（Ｒｂ）と関連し、（Ｒｃ）は、（Ｒｄ）と関連する。各反応器（Ｒａ）、（Ｒｂ）、（Ｒｃ）、（Ｒｄ）は、ユニットの残りを停止させることなく触媒を変更するためにオフラインにされ得る。この触媒の変更処理（リンス処理、取り出し処理、再装填処理、硫化）は、一般的には、コンディショニングセクション（示されない）によって可能にされる。以下の表は、図２に従って行われ得る配列の例を与える。
【００２９】
【表１Ａ】
2019518818.tif 000003
【００３０】
配列９が配列１と同一であることにより、提案された操作の周期性特性が明示される。
【００３１】
同様に、配列可変の反応器を有する水素化脱金属セクション中または配列可変の反応器を有する水素化分解セクション中に２基超の配列可変の反応器があってよい。同様に、３基超または３基未満の固定床水素化処理反応器があってよく、（Ｒ１）、（Ｒ２）および（Ｒ３）による表記は、例証の目的のために純粋に与えられる。
【発明を実施するための形態】
【００３２】
（発明の詳細な説明）
本明細書は、以降において、本発明による方法の供給原料および種々の段階についての情報を提供する。
【００３３】
（供給原料）
本発明による方法において処理される供給原料は、有利には、最低３４０℃の初期沸騰温度および最低４４０℃の最終沸騰温度を有する炭化水素含有供給原料である。好ましくは、それの初期沸騰温度は、最低３５０℃、優先的には最低３７５℃であり、それの最終沸騰温度は、最低４５０℃、優先的には最低４６０℃、より優先的には最低５００℃、一層より優先的には最低６００℃である。
【００３４】
本発明による炭化水素含有供給原料は、常圧残渣、直接蒸留を起源とする真空残渣、原油（crude oil）、抜頭原油、脱アスファルト処理樹脂、アスファルトまたは脱アスファルト処理ピッチ、転化方法を起源とする残渣、潤滑ベース製造鎖（lubricant base production chains）を起源とする芳香族化合物抽出物、瀝青砂またはその誘導体、オイルシェールまたはその誘導体、原岩油（source rock oil）またはその誘導体から選択され得、単独または混合物で用いられる。
【００３５】
本発明において、処理される供給原料は、好ましくは、常圧残渣または真空残渣、または、これらの残渣の混合物である。
【００３６】
本方法において処理される炭化水素含有供給原料は、とりわけ、硫黄含有不純物を含有し得る。硫黄含有率は、最低０．１重量％、好ましくは最低０．５重量％、優先的には最低１重量％、より優先的には最低４重量％、一層より優先的には最低５重量％であり得る。
【００３７】
本方法において処理される炭化水素含有供給原料は、とりわけ、金属不純物、特にニッケルおよびバナジウムを含有し得る。ニッケルおよびバナジウムの含有率の合計は、一般的には最低１０ｐｐｍ、好ましくは最低５０ｐｐｍ、優先的には最低１００ｐｐｍ、より優先的には最低１５０ｐｐｍである。
【００３８】
これらの供給原料は、有利には、そのままで用いられ得る。あるいは、それらは、共供給原料（co-feedstock）により希釈され得る。この共供給原料は、１種のより軽質な炭化水素含有フラクションまたはより軽質な炭化水素含有フラクションの混合物であり得、これは、好ましくは、流動接触分解（fluid catalytic cracking：ＦＣＣ）方法を起源とする生成物、軽質カットオイル（またはライトサイクルオイル（light cycle oil：ＬＣＯ））、重質カットオイル（またはヘビーサイクルオイル（heavy cycle oil：ＨＣＯ））、デカント油（decanted oil：ＤＯ）、ＦＣＣ残渣、ガスオイルフラクション、特に、常圧または真空の蒸留によって得られたフラクション、例えば、真空ガスオイル、さらには、別の精製方法、例えば、コーキングまたはビスブレーキングを起源とし得るものから選択され得る。
【００３９】
共供給原料はまた、有利には、石炭またはバイオマスの液化のための方法を起源とする１種または複数種の留分、芳香族化合物抽出物、または任意の他の炭化水素含有留分または非石油供給原料、例えば、熱分解油であり得る。本発明による重質炭化水素含有供給原料は、本発明による方法によって処理される全炭化水素含有供給原料の重量で最低５０％、優先的には最低７０％、より優先的には最低８０％、一層より優先的には最低９０％を示し得る。
【００４０】
所定の場合、共供給原料は、第１の床またはその後の床の下流に、例えば、固定床水素化処理セクションの入口、あるいは配列可変の反応器を有する固定床水素化分解セクションの入口に導入され得る。
【００４１】
本発明による方法により、転化生成物、特に、蒸留液および重質の炭化水素含有フラクションであって、低い硫黄含有率を有するものを得ることが可能となる。この重質の炭化水素含有フラクションは、それの経時後セジメント含有率が０．１重量％以下であるように生じさせられ得、これは、セジメントの沈殿および分離の段階の実施によって可能にされる。
【００４２】
（配列可変の保護反応器における水素化脱金属の段階ａ））
水素化脱金属段階ａ）の間に、供給原料および水素は、少なくとも２基の配列可変の反応器に装填された水素化脱金属触媒上で、水素化脱金属条件下に接触させられる。この段階ａ）が優先的に実施されるのは、５０ｐｐｍ超、さらには１００ｐｐｍ超の金属を供給原料が含有する時および／または触媒床の時期尚早の詰まりを引き起こし得る不純物、例えば、鉄またはカルシウムの誘導体を供給原料が含む時である。目的は、不純物含有率を低減させること、それ故に、下流の水素化処理段階を失活および詰まりから保護することにあり、それ故に、保護反応器の概念である。これらの水素化脱金属保護反応器は、特許FR2681871において記載された配列可変の反応器（ＰＲＳ、またはPermutable Reactor System技術）として利用される。
【００４３】
これらの配列可変の反応器は、一般的に、固定床水素化処理セクションの上流に位置する固定床であり、この固定床は、互いに並べ変えられ得るようにラインおよびバルブを備えたものである。すなわち、２基の配列可変の反応器（Ｒａ）および（Ｒｂ）を有するシステムについて、（Ｒａ）は、（Ｒｂ）の前であり得るが、逆でもあり得る。各反応器（Ｒａ）、（Ｒｂ）は、ユニットの残りを停止させることなく触媒変更のためにオフラインとされ得る。この触媒の変更処理（リンス処理、取り出し処理、再装填処理、硫化）は、一般的には、条件調整（conditioning）セクション（主要な高圧ループの外側の一式の設備）によって可能とされる。触媒を変更するための並べ替えが行われるのは、触媒が十分には活性でない時（金属の被毒およびコーキング）、および／または、閉塞があまりに大きな圧力降下をもたらす時である。
【００４４】
変形例によると、配列可変の反応器を有する水素化脱金属セクション中に２基超の配列可変の反応器があってよい。
【００４５】
水素化脱金属段階ａ）の間に、水素化脱金属反応（ＨＤＭとして一般に知られている）が行われるが、水素化脱硫反応（ＨＤＳとして一般に知られている）、水素化脱窒反応（ＨＤＮとして一般に知られている）も、水素化、水素化脱酸素、水素化脱芳香族、水素化異性化、水素化脱アルキル、水素化分解、水素化脱アスファルト反応およびコンラドソン炭素（Conradson carbon）の低減に伴われて行われる。段階ａ）は、供給原料からの金属の大部分を除くという事実に起因して水素化脱金属と呼ばれる。
【００４６】
本発明による配列可変の反応器における水素化脱金属の段階ａ）は、有利には３００℃〜５００℃、好ましくは３５０℃〜４３０℃の温度で、５ＭＰａ〜３５ＭＰａ、好ましくは１１ＭＰａ〜２６ＭＰａ、好ましくは１４ＭＰａ〜２０ＭＰａの絶対圧力下に実施され得る。温度は、通常、水素化脱金属の所望のレベルおよび処理の意図された継続期間に応じて調節される。炭化水素含有供給原料の毎時空間速度は、一般的にはＨＳＶと呼ばれかつ供給原料の容積流量を触媒の全容積で除算したものであるとして定義されるものであり、このものは、最も頻繁には０．１ｈ−１〜５ｈ−１、優先的には０．１５ｈ−１〜３ｈ−１、より優先的には０．２ｈ−１〜２ｈ−１の範囲内であり得る。
【００４７】
供給原料と混合される水素の量は、１００〜５０００標準立方メートル（Ｎｍ３）／液体供給原料の立方メートル（ｍ３）、優先的には２００Ｎｍ３／ｍ３〜２０００Ｎｍ３／ｍ３、より優先的には３００Ｎｍ３／ｍ３〜１０００Ｎｍ３／ｍ３であり得る。配列可変の反応器における水素化脱金属の段階ａ）は、少なくとも２基の固定床反応器において工業的に行われ得、優先的には液体下降流である。
【００４８】
用いられる水素化脱金属触媒は、好ましくは、既知の触媒である。これらは、担体上に、水素化脱水素機能を有する少なくとも１種の金属または金属化合物を含む粒状触媒であってよい。これらの触媒は、有利には、少なくとも１種の第ＶＩＩＩ族金属、および／または少なくとも１種の第ＶＩＢ族金属を含む触媒であり得る。第ＶＩＩＩ族金属は、一般的には、ニッケルおよびコバルトによって構成される群から選択され、第ＶＩＢ族金属は、好ましくは、モリブデンおよび／またはタングステンである。例えば、０．５〜１０重量％のニッケル、好ましくは１〜５重量％のニッケル（酸化ニッケルＮｉＯとして表される）と、１〜３０重量％のモリブデン、好ましくは３〜２０重量％のモリブデン（酸化モリブデンＭｏＯ３として表される）とを、鉱物担体上に含む触媒が用いられ得る。この担体は、例えば、アルミナ、シリカ、シリカ−アルミナ、酸化マグネシウム、粘土およびこれらの鉱物の少なくとも２種の混合物によって構成される群から選択され得る。有利には、この担体は、他のドーピング化合物、特に、酸化ホウ素、ジルコニア、セライト、酸化チタン、無水リン酸およびこれらの酸化物の混合物によって構成される群から選択される酸化物を含有し得る。アルミナ担体が最も頻繁に用いられ、リンおよび場合によるホウ素をドーピングされたアルミナ担体が非常に頻繁に用いられる。無水リン酸Ｐ２Ｏ５が存在する場合、それの濃度は、１０重量％未満である。三酸化ホウ素Ｂ２Ｏ５が存在する場合、それの濃度は、１０重量％未満である。用いられるアルミナは、γ（ガンマ）またはη（エータ）のアルミナであり得る。この触媒は、最も頻繁には、押出物の形態にある。第ＶＩＢ族および第ＶＩＩＩ族の金属の全酸化物含有率は、５重量％〜４０重量％、優先的には５重量％〜３０重量％であり得、金属酸化物として表される、第ＶＩＢ族金属（１種または複数種）と第ＶＩＩＩ族金属（１種または複数種）との間の重量比は、一般的には２０〜１、最も頻繁には１０〜２である。
【００４９】
配列可変の反応器における水素化脱金属の段階ａ）において用いられ得る触媒は、例えば、特許文献EP0113297、EP0113284、US 5,221,656、US 5,827,421、US 7,119,045、US 5,622,616およびUS 5,089,463において指し示される。
【００５０】
（固定床水素化処理段階ｂ））
水素化脱金属段階ａ）を起源とする流出物は、場合によっては水素と共に、固定床水素化処理段階ｂ）に導入され、少なくとも１種の水素化処理触媒上で接触させられる。配列可変の保護反応器における水素化脱金属段階ａ）を欠く場合、供給原料および水素は、固定床水素摩処理段階ｂ）に直接的に導入され、少なくとも１種の水素化処理触媒上で接触させられる。このまたはこれらの水素化処理触媒は、少なくとも１基の固体床反応器において、優先的には液体下降流で利用される。
【００５１】
ＨＤＴとして一般に知られている水素化処理とは、水素の供給による触媒処理であって、炭化水素含有供給原料を精製すること、すなわち、それらの金属、硫黄および他の不純物の含有率を大幅に低減させる一方で、供給原料の水素対炭素の比を改善することおよび供給原料を多かれ少なかれ部分的により軽質な留分に転化することを可能にする処理を意味する。水素化処理は、特に、水素化脱硫反応（ＨＤＳとして一般に知られている）、水素化脱窒反応（ＨＤＮとして一般に知られている）、および水素化脱金属反応（ＨＤＭとして一般に知られている）を含み、水素化、水素化脱酸素、水素化脱芳香族、水素化異性化、水素化脱アルキル、水素化分解、水素化脱アスファルトの反応およびコンラドソン炭素の低減が伴われる。
【００５２】
好ましい変形例によると、水素化処理段階ｂ）は、第１の水素化脱金属（ＨＤＭ）段階ｂ１）と、続く第２の水素化脱硫（ＨＤＳ）段階ｂ２）とを含み、第１の水素化脱金属段階ｂ１）は、１箇所または複数箇所の固定床水素化脱金属帯域において行われ、第２の水素化脱硫段階ｂ２）は、１箇所または複数箇所の固定床水素化脱硫帯域において行われる。前記第１段階の水素化脱金属ｂ１）の間に、段階ａ）からの流出物、または、段階ａ）が存在しない場合の供給原料および水素は、水素化脱金属条件下に水素化脱金属触媒上で接触させられ、次いで、前記第２の水素化脱硫工程ｂ２）の間に、第１の水素化脱金属段階ｂ１）からの流出物は、水素化脱硫条件下に、水素化脱硫触媒と接触させられる。この方法は、ＨＹＶＡＨＬ−Ｆ（登録商標）として知られているものであり、例えば、特許US 5,417,846に記載されている。
【００５３】
当業者は、水素化脱金属段階ｂ１）において水素化脱金属反応が行われるが、並行して、他の水素化処理反応の部分、特に、水素化脱硫および水素化分解の反応も行われることを容易に理解するだろう。同様に、水素化脱硫段階ｂ２）において水素化脱硫反応が行われるが、並行して、他の水素化処理反応の部分、特に、水素化脱金属および水素化分解も行われる。
【００５４】
当業者は、全てのタイプの水素化処理反応が行われる移行帯域（transition zone）を画定することもある。別の変形例によると、水素化処理段階ｂ）は、第１の水素化脱金属（ＨＤＭ）段階ｂ１）と、続く第２の移行段階ｂ２）と、続く第３の水素化脱硫（ＨＤＳ）段階ｂ）とを含み、第１の水素化脱金属段階ｂ１）は、１箇所または複数箇所の固定床水素化脱金属帯域において行われ、第２の移行段階ｂ２）は、１箇所または複数箇所の固定床移行帯域において行われ、第３の水素化脱硫段階ｂ３）は、１箇所または複数箇所の固定床水素化脱硫帯域において行われる。前記第１の水素化脱金属段階ｂ１）の間に、段階ａ）からの流出物、または、段階ａ）を行わない場合の供給原料および水素は、水素化脱金属条件下に水素化脱金属触媒上で接触させられ、次いで、前記第２の移行段階ｂ２）の間に、第１の水素化脱金属段階ｂ１）からの流出物は、移行条件下に移行触媒と接触させられ、次いで、前記第３の水素化脱硫段階ｂ３）の間に、第２の移行段階ｂ２）からの流出物は、水素化脱硫条件下に、水素化脱硫触媒と接触させられる。
【００５５】
上記変形例による水素化脱金属段階ｂ１）が特に必要であるのは、不純物を処理しかつ下流の触媒を保護するための配列可変の保護反応器における水素化脱金属段階ａ）を行わない場合である。配列可変の保護反応器における水素化脱金属段階ａ）に加えて上記変形例による水素化脱金属段階ｂ１）を行う必要性が正当化されるのは、段階ａ）の間に行われる水素化脱金属が段階ｂ）の触媒、特に水素化脱硫触媒を保護するのに十分でない時である。
【００５６】
本発明による水素化処理段階ｂ）は、水素化処理条件下に実施される。それは、有利には３００℃〜５００℃、好ましくは３５０℃〜４３０℃の温度で、５ＭＰａ〜３５ＭＰａ、好ましくは１１ＭＰａ〜２６ＭＰａ、好ましくは１４ＭＰａ〜２０ＭＰａの絶対圧力下に実施され得る。温度は、通常、水素化処理の所望のレベルおよび処理の意図される継続期間に応じて調節される。炭化水素含有供給原料の毎時空間速度は、ＨＳＶと一般に呼ばれかつ供給原料の容積流量を触媒の全容積で除算したものであるとして定義されるものであり、このものは、最も頻繁には０．１ｈ−１〜５ｈ−１、優先的には０．１ｈ−１〜２ｈ−１、より優先的には０．１ｈ−１〜１ｈ−１の範囲内であり得る。供給原料と混合される水素の量は、液体供給原料の立方メートル（ｍ３）当たり１００〜５０００標準立方メートル（Ｎｍ３）、優先的には２００Ｎｍ３／ｍ３〜２０００Ｎｍ３／ｍ３、より優先的には３００Ｎｍ３／ｍ３〜１５００Ｎｍ３／ｍ３であり得る。水素化処理段階ｂ）は、１基または複数基の反応器において液体下降流で工業的に行われ得る。
【００５７】
用いられる水素化処理触媒は、好ましくは既知の触媒である。これらは、担体上に、水素化脱水機能を有する少なくとも１種の金属または金属化合物を含む、粒状触媒であってよい。これらの触媒は、有利には、少なくとも１種の第ＶＩＩＩ族金属、および／または少なくとも１種の第ＶＩＢ族金属を含む触媒であり得る。第ＶＩＩＩ族金属は、一般的にはニッケルおよびコバルトによって構成される群から選択され、第ＶＩＢ族金属は、好ましくはモリブデンおよび／またはタングステンである。例えば、０．５〜１０重量％のニッケル、好ましくは１〜５重量％のニッケル（酸化ニッケルＮｉＯとして表される）と、１〜３０重量％のモリブデン、好ましくは３〜２０重量％のモリブデン（酸化モリブデンＭｏＯ３として表される）とを、鉱物担体上に含む触媒が用いられ得る。この担体は、例えば、アルミナ、シリカ、シリカ−アルミナ、酸化マグネシウム、粘土およびこれらの鉱物の少なくとも２種の混合物によって構成される群から選択され得る。
【００５８】
有利には、この担体は、他のドーピング化合物を含有することができ、特に、酸化ホウ素、ジルコニア、セリア、酸化チタン、無水リン酸およびこれらの酸化物の混合物によって構成される群から選択される酸化物である。アルミナ担体が最も頻繁に用いられ、リンおよび場合によるホウ素をドーピングされたアルミナの担体が非常に頻繁に用いられる。無水リン酸Ｐ２Ｏ５が存在する場合、それの濃度は、１０重量％未満である。三酸化ホウ素Ｂ２Ｏ５が存在する場合、それの濃度は、１０重量％未満である。用いられるアルミナは、γ（ガンマ）またはη（エータ）のアルミナであり得る。この触媒は、最も頻繁には、押出物の形態にある。第ＶＩＢ族および第ＶＩＩＩ族の金属の全酸化物含有率は、３〜４０重量％、優先的には５〜３０重量％であり得、金属酸化物として表される、第ＶＩＢ族の金属（１種または複数種）と、第ＶＩＩＩ族の金属（１種または複数種）との間の重量比は、一般的には２０〜１、最も頻繁には１０〜２である。
【００５９】
水素化処理段階が水素化脱金属（ＨＤＭ）の段階ｂ１）と、その後の、水素化脱硫（ＨＤＳ）の段階ｂ２）とを含む場合、各段階に適合した特定の触媒が好ましくは用いられる。水素化脱金属段階ｂ１）において用いられ得る触媒は、例えば、特許文献EP0113297、EP0113284、US5,221,656、US5,827,421、US7,119,045、US5,622,616およびUS5,089,463に指し示されている。水素化脱硫段階ｂ２）に用いられ得る触媒は、例えば、特許文献EP0113297、EP0113284、US6,589,908、US4,818,743、またはUS6,332,976に指し示されている。移行触媒（transition catalyst）とも呼ばれる混合型触媒は、水素化脱金属および水素化脱硫において活性であるものであり、このものは、特許文献FR2940143に記載されているように、水素化脱金属セクションｂ１）および水素化脱硫セクションｂ２）の両方にも用いられ得る。
【００６０】
水素化処理段階が水素化脱金属（ＨＤＭ）段階ｂ１）と、その後の移行段階ｂ２）と、その後の水素化脱硫（ＨＤＳ）段階ｂ３）とを含む場合、各段階に適合した特定の触媒が好ましくは用いられる。水素化脱金属段階ｂ１）において用いられ得る触媒は、例えば、特許文献EP0113297、EP0113284、US5,221,656、US5,827,421、US7,119,045、US5,622,616およびUS5,089,463に指し示されている。移行段階ｂ２）において用いられ得る触媒は、水素化脱金属および水素化脱硫において活性であるものであり、このものは、例えば、特許文献FR2940143に記載されている。水素化脱硫段階ｂ３）において用いられ得る触媒は、例えば、特許文献EP0113297、EP0113284、US6,589,908、US4,818,743、またはUS6,332,976に指し示されている。特許文献FR2940143に記載された移行触媒も、セクションｂ１）、ｂ２）およびｂ３）のために用いられ得る。
【００６１】
（配列可変の反応器における水素化分解の段階ｃ））
水素化処理段階ｂ）を起源とする流出物は、配列可変の反応器における水素化分解の段階ｃ）に導入される。水素も、配列可変の水素化分解反応器を構成する異なる触媒床の上流に注入され得る。この段階における所望の熱分解および水素化分解の反応と並行して、全てのタイプの水素化処理反応（ＨＤＭ、ＨＤＳ、ＨＤＮ等）も起こる。特定の条件、特に、温度、および／または１種または複数種の特定の触媒の使用により、所望の分解または水素化分解の反応を促進することが可能となる。
【００６２】
水素化分解段階ｃ）の反応器は、特許FR2681871に記載されるように配列可変の反応器として実施される（ＰＲＳ；Permutable Reactor System技術）。これらの配列可変の反応器は、ラインおよびバルブを備えており、したがって、それらは、互いに並べ替えられ得る。すなわち、２基の配列可変の反応器（Ｒｃ）および（Ｒｄ）を有するシステムについて、（Ｒｃ）は、（Ｒｄ）の前であり、逆でもあり得る。各反応器（Ｒｃ）、（Ｒｄ）は、ユニットの残りを停止させることなく触媒を変更するためにオフラインとされ得る。触媒のこの変更処理（リンス処理、取り出し処理、再装填処理、硫化）は、一般的に、コンディショニングセクション（主要高圧ループの外側の設備のセット）によって可能とされる。触媒を変更するための並べ替えが行われるのは、触媒が十分には活性ではない（主にコーキング）時および／または閉塞があまりに大きな圧力降下をもたらす時である。
【００６３】
変形例によると、配列可変の反応器を有する水素化分解セクション中に２基超の配列可変の反応器があってよい。
【００６４】
本発明による水素化分解段階ｃ）は、水素化分解条件下に実施される。それは、有利には３４０℃〜４８０℃、好ましくは３５０℃〜４３０℃の温度で、５ＭＰａ〜３５ＭＰａ、好ましく１１ＭＰａ〜２６ＭＰａ、好ましくは１４ＭＰａ〜２０ＭＰａの絶対圧力下に実施され得る。温度は、通常、水素化分解の所望のレベルおよび想定される処理の継続期間に応じて調節される。好ましくは、配列可変の反応器における水素化分解の段階ｃ）のサイクルの開始時の平均温度は、常時、最低５℃、好ましくは最低１０℃、より好ましくは最低１５℃だけ、水素化処理段階ｂ）のサイクルの開始時の平均温度より大きい。この相違は、触媒の失活を補填するための水素化処理段階ｂ）の温度における上昇に起因してサイクルの間に減らしてよい。全体的に、配列可変の反応器における水素化分解の段階ｃ）のサイクルの全体にわたる平均温度は、常時、最低５℃だけ、水素化処理段階ｂ）のサイクルの全体にわたる平均温度より大きい。
【００６５】
炭化水素含有供給原料の毎時空間速度は、一般にＨＳＶと呼ばれかつ供給原料の容積流量を触媒の全容積で除算したものであるとして定義されるものであり、このものは、最も頻繁には０．１ｈ−１〜５ｈ−１、優先的には０．２ｈ−１〜２ｈ−１、より優先的には０．２５ｈ−１〜１ｈ−１の範囲内であり得る。供給原料と混合される水素の量は、液体供給原料の立方メートル（ｍ３）当たり１００〜５０００標準立方メートル（Ｎｍ３）、優先的には２００Ｎｍ３／ｍ３〜２０００Ｎｍ３／ｍ３、より優先的には３００Ｎｍ３／ｍ３〜１５００Ｎｍ３／ｍ３であり得る。水素化分解段階ｃ）は、少なくとも２基の固定床反応器において、優先的には液体下降流で工業的に行われ得る。
【００６６】
用いられる水素化分解触媒は、水素化分解または水素化処理の触媒であり得る。これらは、押出物またはビーズの形態にある粒状触媒であってよく、担体上に、水素化脱水素機能を有する少なくとも１種の金属または金属化合物を含む。これらの触媒は、有利には、少なくとも１種の第ＶＩＩＩ族金属、および／または少なくとも１種の第ＶＩＢ族金属を含む触媒であり得る。第ＶＩＩＩ族金属は、一般的には、ニッケルおよびコバルトによって構成される群から選択され、第ＶＩＢ族金属は、好ましくはモリブデンおよび／またはタングステンである。例えば、０．５〜１０重量％のニッケル、好ましくは１〜５重量％のニッケル（酸化ニッケルＮｉＯとして表される）と、１〜３０重量％のモリブデン、好ましくは５〜２０重量％のモリブデン（酸化モリブデンＭｏＯ３として表される）とを鉱物担体上に含む触媒が用いられ得る。この担体は、例えば、アルミナ、シリカ、シリカ−アルミナ、酸化マグネシウム、粘土およびこれら鉱物の少なくとも２種の混合物によって構成される群から選択され得る。
【００６７】
有利には、この担体は、他のドーピング化合物を含有することができ、特に、酸化ホウ素、ジルコニア、セライト、酸化チタン、無水リン酸およびこれらの酸化物の混合物によって構成される群から選択される酸化物である。アルミナ担体が最も頻繁に用いられ、リンおよび場合によるホウ素がドーピングされたアルミナの担体が非常に頻繁に用いられる。無水リン酸Ｐ２Ｏ５が存在する場合、それの濃度は、１０重量％未満である。三酸化ホウ素Ｂ２Ｏ５が存在する場合、それの濃度は、１０重量％未満である。用いられるアルミナは、γ（ガンマ）またはη（エータ）のアルミナであり得る。この触媒は、最も頻繁には、押出物の形態にある。第ＶＩＢ族および第ＶＩＩＩ族の金属の酸化物の全含有率は、５〜４０重量％、優先的には７〜３０重量％であり得、金属酸化物として表される、第ＶＩＢ族金属（１種または複数種）と第ＶＩＩＩ族金属（１種または複数種）との間の重量比は、一般的には２０〜１、最も頻繁には１０〜２である。
【００６８】
あるいは、水素化分解段階は、特に有利には、芳香族化合物を水素化することができかつ飽和化合物と対応するオレフィンとの間のバランスを提供する水素化相と、水素化異性化および水素化分解の反応を促進することを可能にする酸相とを有する、二機能性触媒を用いることができる。酸機能は、有利には、表面酸度を有する大きな表面積（一般的には１００〜８００ｍ２・ｇ−１）を有する担体、例えば、ハロゲン化アルミナ（特に塩素化またはフッ素化）、ホウ素およびアルミニウムとの酸化物の組み合わせ、無定形シリカ−アルミナおよびゼオライトによって供給される。水素化機能は、有利には、周期律表の第ＶＩＩＩ族からの１種または複数種の金属、例えば、鉄、コバルト、ニッケル、ルテニウム、ロジウム、パラジウム、オスミウム、イリジウムおよび白金、または、周期律表の第ＶＩＢ族からの少なくとも１種の金属、例えばモリブデンおよびタングステンと、第ＶＩＩＩ族からの少なくとも１種の非貴金属（例えばニッケルおよびコバルト）の組み合わせのいずれかによって供給される。触媒は、有利には、重質供給原料の使用に起因する不純物およびアスファルテンに対して高い抵抗性も有するべきである。好ましくは、用いられる二機能性触媒は、第ＶＩＩＩ族および第ＶＩＩＢ族の金属によって形成される群から選択される、単独または混合物で用いられる少なくとも１種の金属と、鉄を含有する１０〜９０重量％のゼオライトおよび９０〜１０重量％の無機酸化物を含む担体とを含む。用いられる第ＶＩＢ族金属は、好ましくは、タングステンおよびモリブデンから選択され、第ＶＩＩＩ族金属は、好ましくは、ニッケルおよびコバルトから選択される。二機能性触媒は、好ましくは、日本特許出願2289419号（ＩＫＣ）またはEP0384186に記載された調製方法に従って調製される。このタイプの触媒の例は、特許JP2966985、JP2908959、JP01049399およびJP61028717、US4,446,008、US4,622,127、US6,342,152、EP0,537,500およびEP0622118に記載されている。
【００６９】
別の好ましい変形例によると、アルミナ、無定形またはゼオライト性のシリカ−アルミナタイプの単機能性触媒および二機能性触媒が、混合物でまたは連続層で用いられ得る。
【００７０】
沸騰床水素化分解触媒または二機能性触媒に類似する触媒の水素化分解セクションにおける使用は特に有利である。
【００７１】
変形例によると、水素化分解の配列可変の反応器の触媒は、高多孔性、一般的には０．７ｍＬ／ｇ超である全多孔性、および、０．１／ｇ超の細孔容積を構成するミクロ多孔性（すなわち、サイズ５０ｎｍ超の細孔の容積）によって特徴付けられる。
【００７２】
供給原料の注入に先行して、本発明による方法において用いられる触媒は、好ましくは、現場内（in-situ）または現場外（ex-situ）の硫化処理に付される。
【００７３】
（水素化分解流出物を分離する段階ｄ））
本発明による方法は、少なくとも１種のガスフラクションと、少なくとも１種の重質液体フラクションとを得ることを可能にする分離段階ｄ）を含むこともできる。
【００７４】
水素化分解段階ｃ）の終わりに得られた流出物は、液体フラクションと、ガス、特に、Ｈ２、Ｈ２Ｓ、ＮＨ３、およびＣ１−Ｃ４炭化水素を含有するガスフラクションとを含む。このガスフラクションは、当業者に周知の分離デバイスを用いて、特に、異なる圧力および温度で操作することができる１基または複数基の分離器ドラムを用いて、場合によっては、蒸気または水素のストリッピング手段および１基または複数基の蒸留塔と組み合わされて流出物から分離され得る。水素化分解段階ｃ）の終わりに得られた流出物は、有利には、少なくとも１基の分離器ドラムにおいて少なくとも１種のガスフラクションと、少なくとも１種の重質液体フラクションとに分離される。これらの分離器は、例えば、高圧高温（high pressure high temperature：ＨＰＨＴ）分離器および／または高圧低温（high pressure low temperature：ＨＰＬＴ）分離器であり得る。
【００７５】
場合による冷却処理の後、このガスフラクションは、好ましくは、水素精製手段において処理されて、水素化処理および水素化分解の反応の間に消費されなかった水素が回収される。水素精製手段は、アミン洗浄、膜、ＰＳＡタイプのシステム、または、直列に配置されたこれらの手段の複数であり得る。精製された水素は、次いで、有利には、場合による再圧縮の後に、本発明による方法に再循環させられ得る。水素は、水素化脱金属段階ａ）の入口および／または水素化処理段階ｂ）の間の異なるポイントおよび／または水素化分解段階ｃ）の入口、および／または水素化分解段階ｃ）の間の異なるポイントに、さらには、沈殿段階中に導入され得る。
【００７６】
分離段階ｄ）は、常圧蒸留および／または真空蒸留を含むこともできる。有利には、分離段階ｄ）は、少なくとも１回の常圧蒸留も含み、この蒸留中に、分離の後に得られた液体炭化水素含有フラクション（１種または複数種）は、常圧蒸留によって少なくとも１種の常圧蒸留液と、少なくとも１種の常圧残渣フラクションとに分画される。常圧蒸留液フラクションは、燃料ベース（ナフサ、ケロセンおよび／またはディーゼル）を含有することができ、これは、例えば、自動車および航空機の燃料の製造のための製油所において商業的に品質向上させられ得る。
【００７７】
さらに、本発明による方法の分離段階ｄ）は、有利には、少なくとも１回の真空蒸留も含むことができ、この蒸留において、分離の後に得られた液体炭化水素含有フラクション（１種または複数種）および／または常圧蒸留の後に得られた常圧残渣フラクションは、真空蒸留によって、少なくとも１種の真空蒸留液フラクションと、少なくとも１種の真空残渣フラクションとに分画される。好ましくは、分離段階ｄ）は、最初の常圧蒸留と、その後の真空蒸留とを含み、最初の常圧蒸留において、分離の後に得られた液体炭化水素含有フラクション（１種または複数種）は、常圧蒸留によって、少なくとも１種の常圧蒸留液フラクションと、少なくとも１種の常圧残渣フラクションとに分画され、真空蒸留において、常圧蒸留の後に得られた常圧残渣フラクションは、真空蒸留によって、少なくとも１種の真空蒸留液フラクションと、少なくとも１種の真空残渣フラクションとに分画される。真空蒸留液フラクションは、典型的には、真空ガスオイルタイプのフラクションを含有する。
【００７８】
常圧残渣フラクションの少なくとも一部または真空残渣フラクションの少なくとも一部は、水素化分解段階ｃ）に再循環させられ得る。常圧残渣フラクションおよび／または真空残渣フラクションは、接触分解方法に送られ得る。常圧残渣フラクションおよび／または真空残渣フラクションは、低い硫黄含有率を有する燃料油または燃料油ベースとして用いられ得る。
【００７９】
真空残渣フラクションの一部および／または真空蒸留液フラクションの一部は、接触分解または沸騰床水素化分解の段階に送られ得る。
【００８０】
分離段階ｄ）を起源とする重質液体フラクションの一部は、セジメントの沈殿の段階ｅ）において用いられる本発明による蒸留液留分を形成するために用いられ得る。
【００８１】
（段階ｅ）：セジメントの沈殿）
分離段階ｄ）の終わりに得られた重質液体フラクションは、水素化処理および水素化分解の条件に由来する有機セジメントを含有する。セジメントの一部は、水素化処理および水素化分解の条件下に沈殿させられたアスファルテンによって構成され、それらは、既存セジメント（ＩＰ３７５）として分析される。ＩＰ３７５方法の測定の不確定性は、３種未満の内容物について±０．１であり、３種以上の内容物について±０．２である。
【００８２】
水素化分解条件に応じて、重質液体フラクション中のセジメント含有率は変動する。分析的な観点から、既存セジメント（ＩＰ３７５）と、潜在的セジメントを含む経時後セジメント（ＩＰ３９０）との間で区別がなされる。ここで、過酷な水素化分解条件、すなわち、転化率が例えば３０％超、さらには４０％超または５０％超である時は、既存セジメントおよび潜在的セジメントの形成が起こる。これらの既存セジメントまたは潜在的セジメントが現れる転化の閾値はない。それらは、操作条件（温度、圧力、滞留時間、触媒のタイプ、触媒齢等）に、さらには、供給原料のタイプ（起源、沸騰範囲、供給原料の混合等）に由来するからである。
【００８３】
経時後セジメント含有率（ＩＰ３９０）の勧告：０．１％以下に対応する燃料油または燃料油ベースを得るために、本発明による方法は、セジメントの分離の効率を改善すること、それ故に、安定した燃料油または燃料油ベース、すなわち、経時後セジメント含有率：０．１重量％以下を得ることを可能にする沈殿段階を含む。経時後セジメント含有率は、ＩＰ３９０法によって測定され、測定不確定性は±０．１である。
【００８４】
本発明による沈殿段階は、種々の変形例ｅ１）、ｅ２）、ｅ３）に従って実施され得る：
−  不安定化による沈殿ｅ１）：これは、分離段階ｄ）を起源とする重質液体フラクションを、蒸留液留分と接触させることからなる、
−  酸化による沈殿ｅ２）：これは、分離段階ｄ）を起源とする重質液体フラクションを、酸化剤と接触させることからなる、
−  酸化・不安定化による沈殿ｅ３）：これは、分離段階ｄ）を起源とする重質液体フラクションを、蒸留液留分および酸化剤と接触させることからなる。
【００８５】
（不安定化による沈殿の変形例ｅ１））
本発明の方法による不安定化による沈殿の段階ｅ１）は、分離段階ｄ）を起源とする重質液体フラクションを、蒸留液留分と接触させることを含む。この蒸留液留分は、一般的には原油の蒸留によって得られた、または、精製方法を起源とする炭化水素を含むものである。これらの炭化水素は、有利には、パラフィン、好ましくは最低２０％のパラフィンを含む。これらの炭化水素は、典型的には、大気圧条件下の沸騰温度：−４２℃〜４００℃を有する。これらの炭化水素は、典型的には３個超の炭素原子、一般的には３〜４０個の炭素原子からなる。これらは、例えば、プロパン、ブタン、ペンタン、ヘキサン、ヘプタン、ナフサ、ケロセン、常圧ガスオイルまたは真空ガスオイルのタイプの留分であってよく、これらは、単独または混合物で用いられる。好ましくは、蒸留液留分の最低２０重量％は、１００℃以上、好ましくは１２０℃以上、より好ましくは１５０℃以上の沸騰温度を有する。
【００８６】
本発明による変形例において、蒸留液留分は、１００℃以上、好ましくは１２０℃以上、より好ましくは１５０℃以上の沸騰温度を有する最低２５重量％を含む点で特徴付けられる。
【００８７】
有利には、本発明による蒸留液留分の最低５重量％、さらには、１０重量％は、最低２５２℃の沸騰温度を有する。
【００８８】
より有利には、本発明による蒸留液留分の最低５重量％、さらには、最低１０重量％は、最低２５５℃の沸騰温度を有する。
【００８９】
前記蒸留液留分は、部分的に、さらには全体的に、本発明の分離段階ｄ）または別の精製方法あるいは別の化学的方法を起源とすることができる。
【００９０】
本発明による蒸留液留分の使用は、高付加価値留分、例えば、ナフサタイプの石油化学留分の大部分の使用をなしで済ますという利点も有する。
【００９１】
さらに、本発明による蒸留液留分の使用により、セジメントから分離される重質液体フラクションの収率を改善することが可能になる。実際に、本発明による蒸留液留分の使用により、セジメントから分離されるべき重質液体フラクション中の品質向上させられ得る化合物の可溶化を維持することが可能になる。これは、品質向上させられ得るこれらの化合物がセジメントと共に沈殿させられるより低い沸点を有する留分を使用するのとは異なっている。
【００９２】
蒸留液留分は、ナフサタイプの留分および／または真空ガスオイルおよび／または真空残渣のタイプの留分との混合物で用いられ得る。前記蒸留液留分は、段階ｄ）の終わりに得られた軽質フラクション、段階ｄ）を起源とする重質フラクションとの混合物で用いられ得、これらのフラクションは、単独または混合物で用いられ得る。本発明による蒸留液留分が、別の留分である、上記に指し示されたような軽質フラクションおよび／または重質フラクションと混合される場合、その比率は、生じる混合物が、本発明による蒸留液留分の特徴に一致するように選択される。
【００９３】
本発明による蒸留液留分と分離段階ｄ）の終わりに得られた重質フラクションとの間の重量比は、０．０１〜１００、好ましくは０．０５〜１０、より好ましくは０．１〜５、一層より好ましくは０．１〜２である。本発明による蒸留液留分が本方法から抜き出される時、所望の比に達するように始動期間の間にこの留分を蓄積することが可能である。
【００９４】
本発明による蒸留液留分は、部分的に、液体炭化水素含有フラクションの回収の段階ｇ）を起源とすることもできる。
【００９５】
有利には、変形例ｅ１）は、不活性ガス、例えば、二原子窒素および／または水素を豊富に含むガス、好ましくは、本発明の方法、特に分離段階ｄ）を起源とするものの存在下に行われる。
【００９６】
（酸化による沈殿の変形例ｅ２））
本発明の方法による酸化による沈殿の段階ｅ２）は、分離段階ｄ）を起源とする重質液体フラクションを、気体、液体または固体の酸化性化合物と接触させることを含む。酸化性化合物の使用は、沈殿方法をスピードアップするという利点を有する。「酸化性ガス（oxidizing gas）」とは、単独または混合物で用いられる、二原子酸素、オゾンまたは酸化窒素を含有することができ、場合によっては、不活性ガスが補われたものとしてのガスを意味する。この酸化性ガスは、空気または窒素減損空気であり得る。拡張によって、酸化性ガスは、例えば水の存在下に酸素の形成を容易にもたらすハロゲン化ガス（例えばジクロリド）であり得る。「酸化性液（oxidizing liquid）」とは、含酸素化合物、例えば、水、過酸化物、例えば、含酸素水、過酸、あるいは、鉱物酸化性溶液、例えば、硝酸塩（例えば硝酸アンモニウム）または過マンガン酸塩（例えば過マンガン酸カリウム）または塩素酸塩または次亜塩素酸塩または過硫酸の溶液または鉱物酸、例えば、硫酸を意味する。この変形例によると、少なくとも１種の気体、液体または固体の酸化性化合物は、次いで、分離段階ｄ）を起源とする重質液体フラクションおよび本発明による蒸留液留分と、セジメントの沈殿の段階ｅ）の実施の間に混合される。
【００９７】
（酸化・不安定化による沈殿の変形例ｅ３））
本発明の方法による酸化・不安定化による沈殿の段階ｅ３）は、分離段階ｄ）を起源とする重質液体フラクションを、不安定化による沈殿の変形例ｅ１）において規定されたような蒸留液留分および酸化による沈殿の変形例ｅ２）において規定されたような気体、液体または固体の酸化性化合物と接触させることを含む。変形例ｅ３）の間に、分離段階ｄ）を起源とする重質液体フラクションを少なくとも１種の蒸留液留分および少なくとも１種の酸化性化合物と接触させる異なる過程の組み合わせがあり得る。接触させるこれらの過程は、沈殿を最適にするために連続的または同時であり得る。
【００９８】
変形例ｅ１）、ｅ２）またはｅ３）に従って実施される、本発明による沈殿段階ｅ）により、（潜在的セジメントを既存セジメントに転化させることにより）既存セジメントおよび潜在的セジメントの全てを得て、それらをより効率的に分離し、それ故に、経時後セジメント含有率（ＩＰ３９０）：最大０．１重量％を達成することが可能となる。
【００９９】
変形例ｅ１）、ｅ２）またはｅ３）に従って実施される本発明による沈殿段階ｅ）は、有利には、滞留時間：５００分未満、好ましくは３００分未満、より好ましくは６０分未満にわたって、温度：２５〜３５０℃、好ましくは５０〜３５０℃、好ましくは６５〜３００℃、より好ましくは８０〜２５０℃で実施される。沈殿段階の圧力は、有利には２０ＭＰａ未満、好ましくは１０ＭＰａ未満、より優先的には３ＭＰａ未満、一層より優先的には１．５ＭＰａ未満である。
【０１００】
本発明による沈殿段階ｅ）は、複数種の設備アイテムを用いて行われ得る。静的ミキサ、オートクレーブまたは撹拌タンクが、場合によっては、分離段階ｄ）の終わりに得られた重質液体フラクションと本発明による蒸留液留分および／または本発明による酸化性化合物との間の効果的な接触を促進するために用いられ得る。１基または複数基の交換器が、段階ｄ）の終わりに得られた重質液体フラクションと、本発明による蒸留液留分および／または本発明による酸化性化合物とを混合する前またはその後に、所望の温度を達成するために用いられ得る。１個または複数個の容器、例えば、水平または垂直のドラムが、直列でまたは並列で用いられ得、これらは、場合によっては、本発明による蒸留液留分の一部および／または本発明による酸化性化合物の一部または全部、さらには、最も重質の固体の一部を除去するためのデカンテーション機能を有している。場合によっては、温度レギュレーションを可能にするダブルジャケットを備えた、撹拌式タンクも用いられ得る。このタンクは、最重質固体の一部を除去するために底部において抜き出しデバイスを備えることができる。
【０１０１】
段階ｅ）の終わりに、既存セジメントを豊富に含む炭化水素含有フラクションが得られる。このフラクションは、少なくとも部分的に、変形例ｅ１）または酸化・不安定化によるｅ３）による実施の間に、本発明による蒸留液留分を含むことができる。豊富な含有率のセジメントを有する炭化水素含有フラクションは、セジメントの物理的分離の段階ｆ）に送られる。
【０１０２】
（段階ｆ）：セジメントの分離）
本発明による方法は、セジメントを物理的に分離して液体炭化水素含有フラクションを得る段階ｆ）も含む。
【０１０３】
沈殿段階ｅ）の終わりに得られた重質液体フラクションは、沈殿アスファルテンタイプの有機セジメントを含有し、これは、本発明による水素化分解条件および沈殿条件に由来する。
【０１０４】
それ故に、沈殿段階ｅ）を起源とする重質液体フラクションの少なくとも一部は、セジメントの分離に付され、これは、固−液タイプの分離であり、この分離は、フィルタ、分離膜、有機または無機のタイプの固体のろ過床、電気集塵、静電フィルタ、遠心分離システム、デカンテーション、遠心力デカンタ、ウォームねじによる抜き出しから選択される物理的分離手段を用いることができる。直列および／または並列にあり、連続的に操作することができる、同一タイプまたは異なるタイプの複数種の分離手段の組み合わせがこのセジメント分離段階ｆ）の間に用いられ得る。これらの固−液分離技術の一つは、軽質リンス処理フラクションの定期的使用を要求することができ、この軽質リンス処理フラクションは、本方法を起源とするかまたは起源としないものであり、例えばフィルタを洗浄することおよびセジメントを除去することを可能とする。
【０１０５】
セジメント分離段階ｆ）の終わりに、液体炭化水素含有フラクションが得られる（経時後セジメント含有率は０．１重量％以下である）。低減したセジメント含有率を有するこのフラクションは、少なくとも部分的に、段階ｅ）の間に導入された本発明による蒸留液留分を含むことができる。本発明による蒸留液留分の非存在下に、低減したセジメント含有率を有する液体炭化水素含有フラクションは、有利には、燃料油ベースまたは燃料油、特に、バンカー油ベースまたはバンカー油であって、経時後セジメント含有率が０．１重量％未満であるものとしての機能を果たすことができる。
【０１０６】
（段階ｇ）：液体炭化水素含有フラクションの回収）
本発明によると、段階ｆ）を起源とする混合物は、有利には、液体炭化水素含有フラクションであって、経時後セジメント含有率が０．１重量％以下であるものの回収の段階ｇ）に導入され、この段階ｇ）は、段階ｅ）の間に導入された蒸留液留分から段階ｆ）を起源とする液体炭化水素含有フラクションを分離することからなる。段階ｇ）は、分離段階ｄ）に類似する分離段階である。段階ｇ）は、分離器ドラムおよび／または蒸留塔タイプの設備アイテムによって実施され得、一方では、段階ｅ）の間に導入された蒸留液留分の少なくとも一部が、他方では、液体炭化水素含有フラクションであって、経時後セジメント含有率が０．１重量％以下であるものが分離される。
【０１０７】
有利には、段階ｇ）からの分離された蒸留液留分の一部は、沈殿段階ｅ）に再循環させられる。
【０１０８】
前記液体炭化水素含有フラクションは、有利には、燃料油ベースまたは燃料油、特に、バンカー油ベースまたはバンカー油であって、経時後セジメント含有率が０．１重量％以下であるものとして機能を果たし得る。有利には、前記液体炭化水素含有フラクションは、接触分解方法からのライトサイクルオイル、接触分解方法からのヘビーサイクルオイル、接触分解方法からの残渣、ケロセン、ガスオイル、真空蒸留液および／またはデカント油によって構成される群から選択される１種または複数種の流動化ベース（fluxing base）と混合される。
【０１０９】
特定の実施形態によると、本発明による蒸留液留分の一部は、低減したセジメント含有率を有する液体炭化水素含有フラクション中に静置され得、その結果、混合物の粘度は、直接的に、燃料油の所望グレードの粘度、例えば、５０℃で１８０または３８０ｃＳｔになる。
【０１１０】
（流動化）
本発明による液体炭化水素含有フラクションは、少なくとも部分的に、有利には、燃料油ベースまたは燃料油、特に、バンカー油ベースまたはバンカー油であって、経時後セジメント含有率が０．１重量％以下であるものとして用いられ得る。
【０１１１】
「燃料油（fuel oil）」とは、本発明において、炭化水素含有フラクションであって、燃料として用いられ得るものを意味する。「燃料油ベース（fuel-oil base）」とは、本発明において、炭化水素含有フラクションであって、他のベースと混合された時に、燃料油を構成するものを意味する。
【０１１２】
燃料油を得るために、段階ｄ）またはｇ）を起源とする液体炭化水素含有フラクションは、接触分解からのライトサイクルオイル、接触分解からのヘビーサイクルオイル、接触分解からの残渣、ケロセン、ガスオイル、真空蒸留液および／またはデカント油によって構成される群から選択される１種または複数種の流動化ベースと混合され得る。好ましくは、ケロセン、ガスオイルおよび／または本発明の方法において生じた真空蒸留液が用いられることになる。
【０１１３】
流動化物（fluxant）の一部は、本発明による蒸留液留分の一部または全部であるとして導入され得る。
【０１１４】
（実施例）
（実施例１（本発明に合致しない））
供給原料は、中東起源の常圧残渣（atmospheric residues：ＡＲ）の混合物である。この混合物は、大量の金属（１００重量ｐｐｍ）および硫黄（４．０重量％）、並びに７％の［３７０−］によって特徴付けられる。
【０１１５】
水素化処理方法は、固定床水素化処理セクションの上流の水素化脱金属（ＨＤＭ）の第１段階において２基の配列可変の反応器（Ｒａ）および（Ｒｂ）の使用を含む。
【０１１６】
第１のいわゆる水素化脱金属段階の間に、供給原料である炭化水素と水素がＨＤＭ触媒上をＨＤＭ条件下に通され、次いで、その後の第２の段階の間に、第１の段階からの流出物がＨＤＴ触媒上にＨＤＴ条件下に通される。ＨＤＭ段階は、配列可変の床（（Ｒａ）、（Ｒｂ））を有するＨＤＭ帯域を含む。ＨＤＴ水素化処理段階は、３基の固定床反応器（（Ｒ１）、（Ｒ２）、（Ｒ３））を含む。
【０１１７】
水素化処理段階の終わりに得られた流出物は、フラッシュにより分離されて、液体フラクションと、ガス、特に、Ｈ２、Ｈ２Ｓ、ＮＨ３およびＣ１−Ｃ４炭化水素を含有するガスフラクションとが得られる。液体フラクションは、次いで、塔内でストリッピングされ、次いで、常圧塔、次いで、真空塔において、複数の留分に分画される（ＩＢＰ−３５０℃、３５０−５２０℃および５２０℃＋（表５参照））。
【０１１８】
２基の水素化脱金属配列可変反応器（Ｒａ）および（Ｒｂ）は、水素化脱金属触媒を装填される。３基の水素化処理反応器（Ｒ１）、（Ｒ２）および（Ｒ３）は、水素化処理触媒を装填される。
【０１１９】
本方法は、１５ＭＰａの水素分圧下に、サイクルのスタート時の反応器の入口における温度：３６０℃およびサイクルの終わりにおける温度：４２０℃で行われる。
【０１２０】
下記の表２には、異なるセクションについてのサイクルにわたる滞留時間および平均温度が示される。サイクルの間、各配列可変の反応器（Ｒａ）および（Ｒｂ）は、水素化脱金属触媒を新しくするために３週にわたってオフラインとされる。これらの条件は、最先端に従って、１１月の操作の継続期間にわたり、９０％超のＨＤＭ率に設定された。
【０１２１】
下記の表１には、各触媒反応器についての毎時空間速度（ＨＳＶ）、および記載された操作様式に従うサイクルの全体にわたって得られた対応する平均温度（ＷＡＢＴ）が示される。
【０１２２】
【表１Ｂ】
2019518818.tif 000004
【０１２３】
ＷＡＢＴは、床の高さを通した平均温度（場合によっては、特定の床の部分に異なる重量を与える荷重を伴う）であり、また、１サイクルの期間の間の時間にわたって平均される。
【０１２４】
本発明に合致しない例により得られた収率が、本発明に合致する例において示される収率との比較のために表４に提示される。
【０１２５】
（実施例２（本発明に合致する））
本発明による方法が、この実施例において、水素化脱金属段階の反応器および水素化処理（ＨＤＴ）の段階ｂ）の反応器（Ｒ１）および（Ｒ２）について、同一の供給原料、同一の触媒により、同一の操作条件下により操作される。
【０１２６】
本発明による方法は、従来技術の水素化処理（ＨＤＴ）セクションにおいて現れる反応器（Ｒ３）の部分を置き換えた、（Ｒｃ）および（Ｒｄ）で表記される２基の新しい水素化分解配列可変反応器の使用を含む。水素化分解段階ｃ）は、固定床水素化処理段階ｂ）の下流において高温で行われ、２基の反応器（Ｒ１）および（Ｒ２）のみを含む。
【０１２７】
下記の表２には、４基の配列可変の反応器（Ｒａ）、（Ｒｂ）、（Ｒｃ）および（Ｒｄ）の周りの操作の例が与えられる。
【０１２８】
【表２】
2019518818.tif 000005
【０１２９】
段階ｃ）の終わりに得られた流出物は、精製に関して実施例１のものに類似しているが、より多く転化させられている。
【０１３０】
水素化分解段階ｃ）の２基の反応器（Ｒｃ）および（Ｒｄ）は、水素化分解触媒を装填される。
【０１３１】
本方法は、１５ＭＰａの水素分圧下に行われ、サイクルのスタート時の反応器の入口における温度は３６０℃であり、サイクルの終わりにおいて４２０℃である。
【０１３２】
サイクルの間、各配列可変の反応器（Ｒｃ）および（Ｒｄ）は、水素化分解触媒を新たにするために３週にわたってオフラインとされる。下記の表３には、各触媒反応器についての毎時空間速度（ＨＳＶ）、および記載された操作様式によるサイクルの全体にわたって得られた対応する平均温度（ＷＡＢＴ）が示される。
【０１３３】
【表３】
2019518818.tif 000006
【０１３４】
下記の表４には、本発明に合致しない例および本発明に合致する例により得られた収率および水素消費の比較が提示される。
【０１３５】
【表４】
2019518818.tif 000007
【０１３６】
したがって、表２、３および４によると、配列可変の反応器による水素化分解セクション（段階ｃ）を組み入れる本発明による方法により、サイクルの平均ＷＡＢＴにおける上昇（＋４℃）並びにＨＳＶにおける増加がなされることは明らかである。ＷＡＢＴは、１サイクルの間の床の平均温度である。
【０１３７】
ＨＳＶは、供給原料の容積流量対反応器内に含有される触媒の容積の比である。
【０１３８】
表４によると、ＷＡＢＴに関して得られた利得（＋４℃）は、最も品質向上可能である留分の収率における増加に反映されている：［ＩＢＰ−３５０℃］留分に関して＋０．９ポイントおよび［３５０℃−５２０℃］留分に関して＋１．９ポイント。
【０１３９】
本発明に従って記載されたサイクルの間に、配列可変の床の平均温度（ＷＡＢＴ）は、配列可変の反応器の更新にもかかわらず、触媒の全ての失活を補うように上昇する。
【０１４０】
温度上昇の結果として、重質留分（例えばバンカー油）の使用に応じて、弊害をもたらし得るセジメントの形成があるかもしれない。
【０１４１】
本発明に合致する例において、常圧残渣（３５０℃＋）中の経時後セジメント含有率（ＩＰ３９０）は、水素化分解の配列可変の反応器のＷＡＢＴが４０２℃超であるサイクルの部分において０．１重量％超である。
【０１４２】
この場合、常圧残渣（３５０−５２０℃留分および５２０℃＋留分によって構成される）は、以下の２つの変形例に従うセジメントの沈殿および分離の段階に付される。
【０１４３】
（−  不安定化による沈殿）
常圧残渣は、方法を起源とするガスオイル留分（１５０−３５０℃）である蒸留液留分と、５０／５０  ｖｏｌ／ｖｏｌの割合で、５分にわたって８０℃で混合される。この混合物は、次いで、ろ過されて、沈殿セジメントが除去され、次いで、低減したセジメント含有率を有する液体フラクション（ＩＰ３９０、０．１重量％未満）が蒸留されて、一方では蒸留液留分（１５０−３５０）が、他方では低減したセジメント含有率を有する常圧残渣（３５０＋）（ＩＰ３９０、０．１重量％未満）が回収される。
【０１４４】
（−  酸化による沈殿）
常圧残渣は、オートクレーブにおいて２バールの酸素圧力下の空気と、撹拌下に６時間にわたって２００℃で接触させられる。減圧の後、常圧残渣は、次いで、ろ過されて、沈殿セジメントが除去され、低減したセジメント含有率を有する液体フラクション（ＩＰ３９０、０．１重量％未満）が得られる。不安定化による沈殿および酸化による沈殿の後に回収された常圧残渣（３５０−５２０℃留分および５２０℃＋留分によって構成される）は、５０℃において２８０ｃＳｔの粘度を有する。それらは、経時後セジメント含有率：０．１重量％未満および硫黄含有率：０．５重量％Ｓ未満も有する。規格ＩＳＯ８２１７によると、これらの常圧残渣は、RMG 380グレードの残渣タイプ船用燃料として販売され得る。硫黄含有率：０．５重量％未満に起因して、これらの船用燃料は、２０２０−２５年の後に船が排ガススクラバデバイスを備えなくてもＳＥＣＡゾーン外で用いられる得ことになる。
【図面の簡単な説明】
【０１４５】
【図１】本発明の実施を示すフローチャートを示す。
【図２】本発明の一連の反応器の利用を示す単純化フローチャートを示す。
【図１】
2019518818.tif 000008
【図２】
2019518818.tif 000009
【国際調査報告】
2019518818.tif 000010
2019518818.tif 000011
2019518818.tif 000012
2019518818.tif 000013